(57)【要約】【課題】大幅ロール状粘着テープ及び中幅ロール状粘着テープ並びに小幅ロール状粘着テープの夫々３様の幅を有したロール状粘着テープを１台の装置で使用することができる粘着テープカッターの提供。【解決手段】間隔部１を有して平行立設した支持壁体２，２で形成した支持体３の保持部８に着脱保持するロール体７に大幅ロール状粘着テープ４及び中幅ロール状粘着テープ５並びに小幅ロール状粘着テープ６を夫々嵌脱でき、更に肉厚摺動板体１１及び肉薄摺動板体１３を摺動移動させることができることによって１台の粘着テープカッターに大幅ロール状粘着テープ４及び中幅ロール状粘着テープ５並びに小幅ロール状粘着テープ６を安定よく装着できて袋状被結束物の結束位置部への結束操作又は箱状被粘着物の粘着位置部への貼着操作を行うことができるように形成したことを特徴としている。【選択図】図１
2009062184.tif 000002
【特許請求の範囲】
【請求項１】
間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、且つロール体７を着脱保持する保持部８よりも上方で支持体３の前方方向に位置して粘着テープ２４を反転する反転用案内回転体２５を備え、更に支持体３の前方に袋状被結束物の結束位置部に前記大幅ロール状粘着テープ４、中幅ロール状粘着テープ５、小幅ロール状粘着テープ６のいずれかの粘着テープ２４を切断した切断テープで周回結束できる結束兼用切断部９を設けると共に平行立設した支持壁体２，２の夫々に摺動横孔１０，１０を設け、該摺動横孔１０，１０を介して一方側の支持板体２の内面に摺接移動する肉厚摺動板体１１を横方向に摺動させる肉厚操作用突部１２を一方側の支持板体２の外面に突出設けると共に他方側の支持板体２の内面に摺接移動する肉薄摺動板体１３を横方向に摺動させる肉薄操作用突部１４を他方側の支持板体２の外面に突出設け、又更に肉厚摺動板体１１及び肉薄摺動板体１３には支持体３の保持部８に着脱保持するロール体７の外周縁１５に近接する円弧状の肉厚切欠縁１６及び円弧状の肉薄切欠縁１７を形成すると共に肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なすことができ、更に肉厚摺動板体１１及び肉薄摺動板体１３がロール体７に嵌着した中幅ロール状粘着テープ５及び小幅ロール状粘着テープ６と平行立設した支持壁体２，２との間に介在することを肉厚操作用突部１２及び肉薄操作用突部１４を介して肉厚摺動板体１１及び肉薄摺動板体１３を摺動移動させることができるように形成したことを特徴とする粘着テープカッター。
【請求項２】
間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、更に支持体３の前方に箱状被粘着物の粘着位置部に前記大幅ロール状粘着テープ４、中幅ロール状粘着テープ５、小幅ロール状粘着テープ６のいずれかの粘着テープ２４を切断した切断テープで粘着できる切断テープ形成用切断部１８を設けると共に平行立設した支持壁体２，２の夫々に摺動横孔１０，１０を設け、該摺動横孔１０，１０を介して一方側の支持板体２の内面に摺接移動する肉厚摺動板体１１を横方向に摺動させる肉厚操作用突部１２を一方側の支持板体２の外面に突出設けると共に他方側の支持板体２の内面に摺接移動する肉薄摺動板体１３を横方向に摺動させる肉薄操作用突部１４を他方側の支持板体２の外面に突出設け、又更に肉厚摺動板体１１及び肉薄摺動板体１３には支持体３の保持部８に着脱保持するロール体７の外周縁１５に近接する円弧状の肉厚切欠縁１６及び円弧状の肉薄切欠縁１７を形成すると共に肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なすことができ、更に肉厚摺動板体１１及び肉薄摺動板体１３がロール体７に嵌着した中幅ロール状粘着テープ５及び小幅ロール状粘着テープ６と平行立設した支持壁体２，２との間に介在することを肉厚操作用突部１２及び肉薄操作用突部１４を介して肉厚摺動板体１１及び肉薄摺動板体１３を摺動移動させることができるように形成したことを特徴とする粘着テープカッター。
【発明の詳細な説明】
【技術分野】
【０００１】
この発明は、大幅ロール状粘着テープ及び中幅ロール状粘着テープ並びに小幅ロール状粘着テープの夫々３様の幅を有したロール状粘着テープを１台の装置で使用することができる粘着テープカッターに関するもである。
【背景技術】
【０００２】
従来、粘着テープカッターにおいて１台の装置で幅が相違するロール状粘着テープを使用することはロール状粘着テープを嵌着するロール体７に夫々幅が相違するロール状粘着テープを嵌着することによってできるものであるが、ロール体７に夫々幅が相違するロール状粘着テープが安定よく嵌着されていないので粘着テープをひきだす時に粘着テープが捩じれてひきだされて、ひきだした粘着テープの切断テープを図１３に図示したように品物１９を収納したビニール製の袋状被結束物２０の結束位置部２１又は図１４に図示したように品物を収納した箱状被粘着物２２の粘着位置部２３に安定よく確実で強固に粘着できない等の欠点があった。
即ち、粘着テープカッターは従来から
【特許文献１】特開２０００−２４７５３２号公報等によって知られているが前記した欠点を解決することは極めて難しい事項であった。
【０００３】
ところでこの発明は前記した問題点を解決したものであつて、粘着テープカッターにおいて１台の装置で夫々幅が相違する大幅ロール状粘着テープ、中幅ロール状粘着テープ、小幅ロール状粘着テープのいずれかをロール体に安定良く装着して使用することができるようにしたものであり、又、従来の粘着テープカッターでロール体に夫々幅が相違するロール状粘着テープを取付けて使用することは粘着テープをひきだす時に粘着テープが捩じれてひきだされて、夫々幅が相違する大幅ロール状粘着テープ、中幅ロール状粘着テープ、小幅ロール状粘着テープのいずれかをひきだし、更に切断した切断テープを袋状被結束物の結束位置部又は箱状被粘着物の粘着位置部に安定よく粘着できる操作を円滑で好適に行うことが出来ないことがあるが、この発明は極めて簡単な操作で粘着テープの切断した切断テープを袋状被結束物の結束位置部又は箱状被粘着物の粘着位置部に的確確実に粘着出来るようにしたものであり、且つ簡単な構造で安価に提供することが出来るようにしたものである。
【発明の開示】
【発明が解決しようとする課題】
【０００４】
この発明は上記の問題点を解決したもので、
粘着テープカッターにおいて１台の装置で幅が相違するロール状粘着テープを使用することはロール状粘着テープを嵌着するロール体に夫々幅が相違するロール状粘着テープを嵌着することによってできるものであり、更に粘着テープをひきだす時に粘着テープが捩じれてひきだされて粘着操作に支障を来たすようなことがなく、夫々幅が相違する大幅ロール状粘着テープ、中幅ロール状粘着テープ、小幅ロール状粘着テープのいずれかをひきだした粘着テープの切断された切断テープを袋状被結束物の結束位置部又は箱状被粘着物の粘着位置部に安定よく確実に粘着できる操作を円滑で好適に行うことが出来るようにすると共に極めて簡単な構造で安価に提供することが出来、又更に使用上極めて経済的である粘着テープカッターを得ることを目的としたものである。
【課題を解決するための手段】
【０００５】
上記の目的を達成するためこの発明は、間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、且つロール体７を着脱保持する保持部８よりも上方で支持体３の前方方向に位置して粘着テープ２４を反転する反転用案内回転体２５を備え、更に支持体３の前方に袋状被結束物の結束位置部に前記大幅ロール状粘着テープ４、中幅ロール状粘着テープ５、小幅ロール状粘着テープ６のいずれかの粘着テープ２４を切断した切断テープで周回結束できる結束兼用切断部９を設けると共に平行立設した支持壁体２，２の夫々に摺動横孔１０，１０を設け、該摺動横孔１０，１０を介して一方側の支持板体２の内面に摺接移動する肉厚摺動板体１１を横方向に摺動させる肉厚操作用突部１２を一方側の支持板体２の外面に突出設けると共に他方側の支持板体２の内面に摺接移動する肉薄摺動板体１３を横方向に摺動させる肉薄操作用突部１４を他方側の支持板体２の外面に突出設け、又更に肉厚摺動板体１１及び肉薄摺動板体１３には支持体３の保持部８に着脱保持するロール体７の外周縁１５に近接する円弧状の肉厚切欠縁１６及び円弧状の肉薄切欠縁１７を形成すると共に肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なすことができ、更に肉厚摺動板体１１及び肉薄摺動板体１３がロール体７に嵌着した中幅ロール状粘着テープ５及び小幅ロール状粘着テープ６と平行立設した支持壁体２，２との間に介在することを肉厚操作用突部１２及び肉薄操作用突部１４を介して肉厚摺動板体１１及び肉薄摺動板体１３を摺動移動させることができるように形成したものである。
【０００６】
又、間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、更に支持体３の前方に箱状被粘着物の粘着位置部に前記大幅ロール状粘着テープ４、中幅ロール状粘着テープ５、小幅ロール状粘着テープ６のいずれかの粘着テープ２４を切断した切断テープで粘着できる切断テープ形成用切断部１８を設けると共に平行立設した支持壁体２，２の夫々に摺動横孔１０，１０を設け、該摺動横孔１０，１０を介して一方側の支持板体２の内面に摺接移動する肉厚摺動板体１１を横方向に摺動させる肉厚操作用突部１２を一方側の支持板体２の外面に突出設けると共に他方側の支持板体２の内面に摺接移動する肉薄摺動板体１３を横方向に摺動させる肉薄操作用突部１４を他方側の支持板体２の外面に突出設け、又更に肉厚摺動板体１１及び肉薄摺動板体１３には支持体３の保持部８に着脱保持するロール体７の外周縁１５に近接する円弧状の肉厚切欠縁１６及び円弧状の肉薄切欠縁１７を形成すると共に肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なすことができ、更に肉厚摺動板体１１及び肉薄摺動板体１３がロール体７に嵌着した中幅ロール状粘着テープ５及び小幅ロール状粘着テープ６と平行立設した支持壁体２，２との間に介在することを肉厚操作用突部１２及び肉薄操作用突部１４を介して肉厚摺動板体１１及び肉薄摺動板体１３を摺動移動させることができるように形成したものである。
【発明の効果】
【０００７】
この発明は以上のような構成であり、実施例１においては間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、且つロール体７を着脱保持する保持部８よりも上方で支持体３の前方方向に位置して粘着テープ２４を反転する反転用案内回転体２５を備え、更に支持体３の前方に品物１９を収納した袋状被結束物２０の結束位置部２１に前記大幅ロール状粘着テープ４、中幅ロール状粘着テープ５、小幅ロール状粘着テープ６のいずれかの粘着テープ２４を切断して形成する切断テープ２７で周回結束できる結束兼用切断部９を設けたことによって大幅ロール状粘着テープ４、中幅ロール状粘着テープ５、小幅ロール状粘着テープ６のいずれかをロール体７に嵌合させると共に保持部８に保持させるものであるが、この場合は大幅ロール状粘着テープ４、中幅ロール状粘着テープ５、小幅ロール状粘着テープ６のいずれもが粘着テープ２４を反転する反転用案内回転体２５に案内されて粘着テープ２４の粘着面が上向きとなり支持体３の前方に設けた結束兼用切断部９を介して図１３に図示したように品物１９を収納したビニール製の袋状被結束物２０の結束位置部２１に粘着テープ２４の切断テープ２７を安定よく確実に結束粘着できる操作を円滑で好適に行うことが出来るようにしたものである。
【０００８】
又、実施例２においては間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、更に支持体３の前方に品物を収納した箱状被粘着物２２の粘着位置部２３に前記大幅ロール状粘着テープ４、中幅ロール状粘着テープ５、小幅ロール状粘着テープ６のいずれかの切断した粘着テープ２４で粘着できる切断テープ形成用切断部１８を設けたことによって大幅ロール状粘着テープ４、中幅ロール状粘着テープ５、小幅ロール状粘着テープ６のいずれかをロール体７に嵌合させると共に保持部８に保持させるものであるが、この場合は大幅ロール状粘着テープ４、中幅ロール状粘着テープ５、小幅ロール状粘着テープ６のいずれかの粘着テープ２４の粘着面が下向きとなり支持体３の前方に設けた切断テープ形成用切断部１８を介して粘着テープ２４の切断した切断テープ２７を図１４に図示したように箱状被粘着物２２の粘着位置部２３に安定よく確実に粘着できる操作を円滑で好適に行うことが出来るようにしたものである。
【０００９】
又、平行立設した支持壁体２，２の夫々に摺動横孔１０，１０を設け、該摺動横孔１０，１０を介して一方側の支持板体２の内面に摺接移動する肉厚摺動板体１１を横方向に摺動させる肉厚操作用突部１２を一方側の支持板体２の外面に突出設けると共に他方側の支持板体２の内面に摺接移動する肉薄摺動板体１３を横方向に摺動させる肉薄操作用突部１４を他方側の支持板体２の外面に突出設けたことによって、肉厚操作用突部１２又は肉薄操作用突部１４を指先で移動させることができて肉厚摺動板体１１又は肉薄摺動板体１３の横方向への摺動操作を円滑に行うことが出来て大幅ロール状粘着テープ４、中幅ロール状粘着テープ５、小幅ロール状粘着テープ６のいずれかを取付使用することができる状態とすることができるものである。
【００１０】
又、肉厚摺動板体１１及び肉薄摺動板体１３には支持体３の保持部８に着脱保持するロール体７の外周縁１５に近接する円弧状の肉厚切欠縁１６及び円弧状の肉薄切欠縁１７を形成すると共に肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なすことができようにしたので、肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なしたこの場合は大幅ロール状粘着テープ４を装着して使用に供することができるものであり、更に大幅ロール状粘着テープ４を装着して使用に供する際は大幅ロール状粘着テープ４の両面が平行立設した支持壁体２，２に案内されて回転するのでロール体７に装着した大幅ロール状粘着テープ４が揺れることなく回転して品物１９を収納したビニール製の袋状被結束物２０の結束位置部２１に安定よく粘着できる操作、又は箱状被粘着物２２の粘着位置部２３に安定よく粘着できる操作を適格に行うことが出来るものである。
【００１１】
又、肉厚摺動板体１１及び肉薄摺動板体１３がロール体７に嵌着した中幅ロール状粘着テープ５及び小幅ロール状粘着テープ６と平行立設した支持壁体２，２との間に介在することを肉厚操作用突部１２及び肉薄操作用突部１４を介して肉厚摺動板体１１及び肉薄摺動板体１３を摺動移動させることができるように形成したので、肉厚摺動板体１１に設けた肉厚切欠縁１６がの外周縁１５に近接させ肉薄摺動板体１３に設けた肉薄切欠縁１７をロール体７の外周縁１５より離なした場合は中幅ロール状粘着テープ５をロール体７に装着して使用出来るものであり、又逆に肉厚摺動板体１１に設けた肉厚切欠縁１６がロール体７の外周縁１５より離なし肉薄摺動板体１３に設けた肉薄切欠縁１７をロール体７の外周縁１５に近接させ場合は小幅ロール状粘着テープ６をロール体７に装着して使用出来るものである。よって、中幅ロール状粘着テープ５の使用時においては中幅ロール状粘着テープ５は支持壁体２と肉薄摺動板体１３との間に介在して案内回転され、又小幅ロール状粘着テープ６の使用時においては小幅ロール状粘着テープ６は支持壁体２と肉厚摺動板体１１との間に介在して案内回転されるのでロール体７に装着した中幅ロール状粘着テープ５又は小幅ロール状粘着テープ６は揺れることなく回転して品物１９を収納したビニール製の袋状被結束物２０の結束位置部２１に安定よく結束粘着できる操作、又は箱状被粘着物２２の粘着位置部２３に安定よく粘着できる操作を適格に行うことが出来るものである。
【００１２】
以上のように、この発明は粘着テープカッターにおいて１台の装置で幅が相違する大幅ロール状粘着テープ４及び中幅ロール状粘着テープ５並びに小幅ロール状粘着テープ６の３様のロール状粘着テープを使用することができるものであり、更に、夫々幅が相違する粘着テープ２４をひきだす時に粘着テープ２４が捩じれてひきだされて安定が悪くなるようなことがなく、ひきだした粘着テープ２４の切断した切断テープ２７は袋状被結束物２０の結束位置部２１又は箱状被粘着物２２の粘着位置部２３に安定よく確実に粘着できる操作を円滑で好適に行うことが出来るようにすると共に極めて簡単な構造で安価に提供することが出来るようにした粘着テープカッターを得ることができる産業的効果を奏したもである。
【発明を実施するための最良の形態】
【００１３】
以下、この発明の実施の形態を図１〜図１４に基いて説明する。
【実施例１】
【００１４】
この発明は、間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、且つロール体７を着脱保持する保持部８よりも上方で支持体３の前方方向に位置して粘着テープ２４を反転する反転用案内回転体２５を備え、更に支持体３の前方に袋状被結束物２０の結束位置部２１に前記大幅ロール状粘着テープ４、中幅ロール状粘着テープ５、小幅ロール状粘着テープ６のいずれかで周回結束できる結束兼用切断部９を設けると共に平行立設した支持壁体２，２の夫々に摺動横孔１０，１０を設け、該摺動横孔１０，１０を介して一方側の支持板体２の内面に摺接移動する肉厚摺動板体１１を横方向に摺動させる肉厚操作用突部１２を一方側の支持板体２の外面に突出設けると共に他方側の支持板体２の内面に摺接移動する肉薄摺動板体１３を横方向に摺動させる肉薄操作用突部１４を他方側の支持板体２の外面に突出設け、又更に肉厚摺動板体１１及び肉薄摺動板体１３には支持体３の保持部８に着脱保持するロール体７の外周縁１５に近接する円弧状の肉厚切欠縁１６及び円弧状の肉薄切欠縁１７を形成すると共に肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なすことができ、更に肉厚摺動板体１１及び肉薄摺動板体１３がロール体７に嵌着した中幅ロール状粘着テープ５及び小幅ロール状粘着テープ６と平行立設した支持壁体２，２との間に介在することが肉厚操作用突部１２及び肉薄操作用突部１４を介して肉厚摺動板体１１及び肉薄摺動板体１３を摺動移動させることができるように形成したものである。
【００１５】
又、支持体３の前方に備えた結束兼用切断部９の手前に位置して粘着テープ２４を挟持案内する粘着テープ案内体２６を設け、該粘着テープ案内体２６は粘着テープ２４が大幅ロール状粘着テープ４、中幅ロール状粘着テープ５、小幅ロール状粘着テープ６のいずれかより結束兼用切断部９の方向にひきだされ移動した際に捩じれた状態で案内れることなく結束兼用切断部９に案内されて袋状被結束物２０の結束位置部２１に確実強固に粘着される切断テープ２７が形成されるようにしたものである
【実施例２】
【００１６】
又、間隔部１を有して平行立設した支持壁体２，２で形成した支持体３の後方に大幅ロール状粘着テープ４及び中幅ロール状粘着テープ５並びに小幅ロール状粘着テープ６の夫々を嵌脱できるロール体７を着脱保持する保持部８を有し、更に支持体３の前方に被粘着物の粘着位置に前記大幅ロール状粘着テープ４、中幅ロール状粘着テープ５、小幅ロール状粘着テープ６のいずれかの切断テープ２７で粘着できる切断テープ形成用切断部１８を設けると共に平行立設した支持壁体２，２の夫々に摺動横孔１０，１０を設け、該摺動横孔１０，１０を介して一方側の支持板体２の内面に摺接移動する肉厚摺動板体１１を横方向に摺動させる肉厚操作用突部１２を一方側の支持板体２の外面に突出設けると共に他方側の支持板体２の内面に摺接移動する肉薄摺動板体１３を横方向に摺動させる肉薄操作用突部１４を他方側の支持板体２の外面に突出設け、又更に肉厚摺動板体１１及び肉薄摺動板体１３には支持体３の保持部８に着脱保持するロール体７の外周縁１５に近接する円弧状の肉厚切欠縁１６及び円弧状の肉薄切欠縁１７を形成すると共に肉厚操作用突部１２及び肉薄操作用突部１４を介して肉厚摺動板体１１に設けた肉厚切欠縁１６と肉薄摺動板体１３に設けた肉薄切欠縁１７とをロール体７の外周縁１５より離なすことができ、更に肉厚摺動板体１１及び肉薄摺動板体１３がロール体７に嵌着した中幅ロール状粘着テープ５及び小幅ロール状粘着テープ６と平行立設した支持壁体２，２との間に介在することが肉厚操作用突部１２及び肉薄操作用突部１４を介して肉厚摺動板体１１及び肉薄摺動板体１３を摺動移動させることができるように形成したものである。
【００１７】
又、支持体３の前方に備えた切断テープ形成用切断部１８の手前に位置して粘着テープ２４を挟持案内する粘着テープ案内体２６を設け、該粘着テープ案内体２６は粘着テープ２４が大幅ロール状粘着テープ４、中幅ロール状粘着テープ５、小幅ロール状粘着テープ６のいずれかより切断テープ形成用切断部１８の方向にひきだされ移動した際に捩じれた状態で案内れることなく切断テープ形成用切断部１８に案内されて箱状被粘着物２２の粘着位置部２３に確実強固に粘着される切断テープ２７が形成されるようにしたものである。
【００１８】
又、間隔部１を有して平行立設した支持壁体２，２には肉厚摺動板体１１と肉薄摺動板体１３との上下縁を支持して摺動を円滑に行うことができる摺動受部２８を形成したものである。
【図面の簡単な説明】
【００１９】
【図１】この発明の実施例１における斜視図である。
【図２】この発明の実施例１における正面図である。
【図３】この発明の実施例２における正面図である。
【図４】図２及び図３における要部のＡ−Ａ縦断面図ある。
【図５】大幅ロール状粘着テープを装着した状態で一部切欠した要部の正面図である。
【図６】図５におけるＡ−Ａ横断平面図ある。
【図７】小幅ロール状粘着テープを装着した状態で一部切欠した要部の正面図である。
【図８】図７におけるＡ−Ａ横断平面図ある。
【図９】中幅ロール状粘着テープを装着した状態における要部の横断平面図である。
【図１０】大幅ロール状粘着テープを装着した状態を示した要部の斜視図である。
【図１１】中幅ロール状粘着テープを装着した状態を示した要部の斜視図である。
【図１２】小幅ロール状粘着テープを装着した状態を示した要部の斜視図である。
【図１３】品物を収納した袋状被結束物の結束位置部に切断した粘着テープの切断テープで結束した状態を示した斜視図である。
【図１４】品物を収納した箱状被粘着物の粘着位置部に粘着テープの切断テープを貼着した状態を示した斜視図である。
【符号の説明】
【００２０】
１  間隔部
２  支持壁体
３  支持体
４  大幅ロール状粘着テープ
５  中幅ロール状粘着テープ
６  小幅ロール状粘着テープ
７  ロール体
８  保持部
９  結束兼用切断部
１０  摺動横孔
１１  肉厚摺動板体
１２  肉厚操作用突部
１３  肉薄摺動板体
１４  肉薄操作用突部
１５  外周縁
１６  肉厚切欠縁
１７  肉薄切欠縁
１８  切断テープ形成用切断部
１９  品物
２０  袋状被結束物
２１  結束位置部
２２  箱状被粘着物
２３  粘着位置部
２４  粘着テープ
２５  反転用案内回転体
２６  粘着テープ案内体
２７  切断テープ
２８  摺動受部
【図１】
2009062184.tif 000003
【図２】
2009062184.tif 000004
【図３】
2009062184.tif 000005
【図４】
2009062184.tif 000006
【図５】
2009062184.tif 000007
【図６】
2009062184.tif 000008
【図７】
2009062184.tif 000009
【図８】
2009062184.tif 000010
【図９】
2009062184.tif 000011
【図１０】
2009062184.tif 000012
【図１１】
2009062184.tif 000013
【図１２】
2009062184.tif 000014
【図１３】
2009062184.tif 000015
【図１４】
2009062184.tif 000016